(57)【特許請求の範囲】
【請求項１】
自然環境から吸熱するヒートポンプを収容したヒートポンプユニットと、前記ヒートポンプにより加熱された熱媒を蓄えるタンクを収容したタンクユニットと、前記タンクに貯えられた熱媒をガスの燃焼熱により加熱するガス熱源機を収容したガス熱源ユニットを備える熱機器であって、
前記ヒートポンプユニットと、前記タンクユニットと、前記ガス熱源ユニットが、それぞれコントローラを備えており、
前記ヒートポンプユニットの前記コントローラと前記タンクユニットの前記コントローラは通信可能であり、
前記タンクユニットの前記コントローラと前記ガス熱源ユニットの前記コントローラは通信可能であり、
前記ガス熱源ユニットの前記コントローラに、少なくとも給湯設定温度を設定可能なリモコンが接続可能であり、
前記タンクユニットの前記コントローラに、少なくともタンク沸上げ設定温度を設定可能な設定用スイッチが接続されており、
タンク沸上げ運転を実施する際に、前記タンクユニットの前記コントローラが前記リモコンから給湯設定温度を取得できる場合に、前記リモコンで設定された給湯設定温度に応じて特定されるタンク沸上げ設定温度に基づいてタンク沸上げ運転を実施し、
タンク沸上げ運転を実施する際に、前記タンクユニットの前記コントローラが前記リモコンから給湯設定温度を取得できない場合に、前記設定用スイッチで設定されたタンク沸上げ設定温度に基づいてタンク沸上げ運転を実施する熱機器。
【請求項２】
前記熱媒が水であり、
前記タンクユニットが、前記タンクに水を供給する給水経路と、前記タンクから給湯箇所へ水を供給する給湯経路と、前記給水経路からの水を混合して前記給湯経路を流れる水の温度を調整する混合器をさらに収容しており、
前記設定用スイッチが、さらに給湯設定温度を設定可能であり、
給湯運転を実施する際に、前記タンクユニットの前記コントローラが前記リモコンから給湯設定温度を取得できる場合に、前記リモコンで設定された給湯設定温度に基づいて給湯運転を実施し、
給湯運転を実施する際に、前記タンクユニットの前記コントローラが前記リモコンから給湯設定温度を取得できない場合に、前記設定用スイッチで設定された給湯設定温度に基づいて給湯運転を実施する請求項１の熱機器。
【発明の詳細な説明】
【技術分野】
【０００１】
本発明は、熱機器に関する。
【背景技術】
【０００２】
特許文献１に、自然環境から吸熱するヒートポンプを収容したヒートポンプユニットと、ヒートポンプにより加熱された熱媒を蓄えるタンクを収容したタンクユニットと、タンクに貯えられた熱媒をガスの燃焼熱により加熱するガス熱源機を収容したガス熱源ユニットを備える熱機器が開示されている。この熱機器では、ヒートポンプやガス熱源機を熱源として、給湯や暖房、浴槽の湯はりや追い焚きを行うことができる。この熱機器では、ヒートポンプユニットと、タンクユニットと、ガス熱源ユニットが、それぞれコントローラを備えている。この熱機器では、ヒートポンプユニットのコントローラとタンクユニットのコントローラは通信可能であり、タンクユニットのコントローラとガス熱源ユニットのコントローラは通信可能であり、ガス熱源ユニットのコントローラにリモコンが接続されている。
【先行技術文献】
【特許文献】
【０００３】
【特許文献１】特開２０１２−９３０６５号公報
【発明の概要】
【発明が解決しようとする課題】
【０００４】
上記のような熱機器において、ヒートポンプユニットとタンクユニットの設置が完了しており、ガス熱源ユニットの設置が完了していない状態で、タンク沸上げ運転を実施したいことがある。しかしながら、多くの場合、タンク沸上げ運転時のタンク沸上げ設定温度は、リモコンで設定された給湯設定温度に応じて自動的に設定するように構成されており、ガス熱源ユニットの設置が完了していないと、リモコンから給湯設定温度を取得することができず、タンク沸上げ設定温度を設定することができない。同様に、ガス熱源ユニットのコントローラやリモコンが故障した場合や、リモコンとの間の通信線が断線した場合も、リモコンから給湯設定温度を取得することができず、タンク沸上げ設定温度を設定することができない。リモコンから給湯設定温度を取得できない場合についても、タンク沸上げ設定温度を適切に設定して、タンク沸上げ運転を実施可能とする技術が期待されている。
【０００５】
本明細書では、上記の課題を解決する技術を提供する。本明細書では、ヒートポンプユニットと、タンクユニットと、ガス熱源ユニットを備える熱機器において、リモコンから給湯設定温度を取得できない場合でも、タンク沸上げ運転を実施可能とする技術を提供する。
【課題を解決するための手段】
【０００６】
本明細書が開示する熱機器は、自然環境から吸熱するヒートポンプを収容したヒートポンプユニットと、前記ヒートポンプにより加熱された熱媒を蓄えるタンクを収容したタンクユニットと、前記タンクに貯えられた熱媒をガスの燃焼熱により加熱するガス熱源機を収容したガス熱源ユニットを備えている。その熱機器では、前記ヒートポンプユニットと、前記タンクユニットと、前記ガス熱源ユニットが、それぞれコントローラを備えている。その熱機器では、前記ヒートポンプユニットの前記コントローラと前記タンクユニットの前記コントローラは通信可能である。その熱機器では、前記タンクユニットの前記コントローラと前記ガス熱源ユニットの前記コントローラは通信可能である。その熱機器では、前記ガス熱源ユニットの前記コントローラに、少なくとも給湯設定温度を設定可能なリモコンが接続可能である。その熱機器では、前記タンクユニットの前記コントローラに、少なくともタンク沸上げ設定温度を設定可能な設定用スイッチが接続されている。その熱機器では、タンク沸上げ運転を実施する際に、前記タンクユニットの前記コントローラが前記リモコンから給湯設定温度を取得できる場合に、前記リモコンで設定された給湯設定温度に応じて特定されるタンク沸上げ設定温度に基づいてタンク沸上げ運転を実施する。その熱機器では、タンク沸上げ運転を実施する際に、前記タンクユニットの前記コントローラが前記リモコンから給湯設定温度を取得できない場合に、前記設定用スイッチで設定されたタンク沸上げ設定温度に基づいてタンク沸上げ運転を実施する。
【０００７】
上記の熱機器では、リモコンから給湯設定温度を取得できない場合に備えて、タンクユニットのコントローラに設定用スイッチが接続されている。設定用スイッチに予めタンク沸上げ設定温度を設定しておくことで、リモコンから給湯設定温度を取得できない場合でも、タンク沸上げ運転を適切に実施することができる。
【０００８】
上記の熱機器は、前記熱媒が水であり、前記タンクユニットが、前記タンクに水を供給する給水経路と、前記タンクから給湯箇所へ水を供給する給湯経路と、前記給水経路からの水を混合して前記給湯経路を流れる水の温度を調整する混合器をさらに収容しており、前記設定用スイッチが、さらに給湯設定温度を設定可能であり、給湯運転を実施する際に、前記タンクユニットの前記コントローラが前記リモコンから給湯設定温度を取得できる場合に、前記リモコンで設定された給湯設定温度に基づいて給湯運転を実施し、給湯運転を実施する際に、前記タンクユニットの前記コントローラが前記リモコンから給湯設定温度を取得できない場合に、前記設定用スイッチで設定された給湯設定温度に基づいて給湯運転を実施することが好ましい。
【０００９】
上記の熱機器では、リモコンから給湯設定温度を取得できない場合に備えて、設定用スイッチで給湯設定温度を設定することができる。設定用スイッチに予め給湯設定温度を設定しておくことで、リモコンから給湯設定温度を取得できない場合でも、給湯運転を適切に実施することができる。
【発明の効果】
【００１０】
本明細書が開示する技術によれば、ヒートポンプユニットと、タンクユニットと、ガス熱源ユニットを備える熱機器において、リモコンから給湯設定温度を取得できない場合でも、タンク沸上げ運転を実施可能とすることができる。
【図面の簡単な説明】
【００１１】
【図１】給湯システム１０の構成を模式的に示す図である。
【図２】設定用スイッチ２０ｂによるタンク沸上げ設定温度および給湯設定温度の設定の一例を示す図である。
【発明を実施するための形態】
【００１２】
（実施例）
本発明の給湯システムを具現化した実施例を、図１および図２を参照して説明する。図１は給湯システム１０の系統図であり、水及び熱媒の流れを矢印で示している。図１に示すように、給湯システム１０は、タンクユニット２０と、ヒートポンプユニット４０と、ガス熱源ユニット５０を備えている。給湯システム１０は、給湯栓８０と浴槽７２に給湯する。本明細書では、浴槽７２に給湯することを湯はりという。また、給湯システム１０は、浴槽７２に貯められた浴槽水を追い焚きする。
【００１３】
ヒートポンプユニット４０では、圧縮機４１の吐出側Ａと四方弁４２と第１熱交換器４３の熱媒流路４３ａと膨張弁４４と第２熱交換器４５と四方弁４２と圧縮機４１の戻り側Ｂが、熱媒配管４６によって順に接続されており、熱媒がこの順に循環する。第１熱交換器４３は、熱媒流路４３ａと循環水流路４３ｂとを備えている。第２熱交換器４５の近傍にはファン４５ａが設置されている。第２熱交換器４５は、ファン４５ａによって送られる外気と熱媒の間で熱交換を行う。圧縮機４１の吐出側Ａと四方弁４２との間の熱媒配管４６と、膨張弁４４と第２熱交換器４５との間の熱媒配管４６の間に、除霜経路４７が接続されている。除霜経路４７には、除霜弁４７ａが設けられている。
【００１４】
第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、循環水流路４３ｂに流入する循環水の温度を検出し、出口側サーミスタ４９ａは、循環水流路４３ｂから流出する循環水の温度を検出する。また、循環往路接続経路４８には、循環ポンプ４８ｂが設けられている。
【００１５】
ヒートポンプユニット４０は、コントローラ４０ａを備えている。コントローラ４０ａは、ＣＰＵ、ＲＯＭ、ＲＡＭ等を備えている。コントローラ４０ａには、入口側サーミスタ４８ａおよび出口側サーミスタ４９ａから、検出信号が入力される。また、コントローラ４０ａは、圧縮機４１、四方弁４２、膨張弁４４、ファン４５ａ、循環ポンプ４８ｂの動作を制御する。
【００１６】
タンクユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３が設けられている。給水経路２２には、減圧弁２３の下流側に混合器２４の混合用給水経路２６が接続されている。混合用給水経路２６には、給水制御弁２６ａが設けられている。減圧弁２３は、貯湯槽２１と混合器２４への給水圧力を調整する。貯湯槽２１内の温水が減少したり、給水制御弁２６ａが開いたりすると、減圧弁２３の下流側圧力が低下する。減圧弁２３は、下流側圧力が低下すると開き、その圧力を所定の調圧値に維持しようとする。このため、貯湯槽２１内の温水が減少したり、混合器２４の給水制御弁２６ａが開いたりすると、これらに水道水が給水される。
【００１７】
給水経路２２において、混合用給水経路２６の接続部よりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排水される。
【００１８】
貯湯槽２１の底部には、循環往路３３の一端が接続されており、貯湯槽２１の上部には、循環復路３４の一端が接続されている。循環往路３３の他端は、ヒートポンプユニット４０の循環往路接続経路４８に接続されており、循環復路３４の他端は、循環復路接続経路４９に接続されている。循環往路３３には、往路サーミスタ３６が設けられている。往路サーミスタ３６は、貯湯槽２１から循環往路３３に流出した水の温度を検出する。
【００１９】
ヒートポンプユニット４０の循環ポンプ４８ｂが駆動すると、貯湯槽２１の下部から循環往路３３に水が吸出され、この水が循環水流路４３ｂを流れて、循環復路３４を通じて貯湯槽２１の上部に戻される。このようにして、貯湯槽２１とヒートポンプユニット４０との間の循環経路が構成されている。
【００２０】
循環復路３４の途中には、空気抜き経路３７と圧力開放経路３８が接続されている。空気抜き経路３７には、空気抜き弁３７ａが設けられている。圧力開放経路３８には、リリーフ弁３８ａが設けられている。リリーフ弁３８ａの開弁圧力は、減圧弁２３の調圧値よりも僅かに大きく設定されている。減圧弁２３の調圧が不能になった場合には、リリーフ弁３８ａが開き、貯湯槽２１内の圧力が耐圧可能な圧力を超えるのを防止する。貯湯槽２１では、その上端から所定量（例えば３０リットル）の箇所に上部サーミスタ３９が取り付けられている。上部サーミスタ３９は、貯湯槽２１上部の水温を検出する。
【００２１】
混合器２４は、温水経路２５と混合用給水経路２６と第１混合経路２７を備えている。温水経路２５は、貯湯槽２１の上部に接続されている。温水経路２５には、温水制御弁２５ａと温水流量センサ２５ｂと温水サーミスタ２５ｃが設けられている。温水制御弁２５ａは、貯湯槽２１から温水経路２５へ流れる温水の流量を調整する。温水流量センサ２５ｂ及び温水サーミスタ２５ｃは、温水経路２５を流れる温水の流量と温度を検出する。混合用給水経路２６は、上記したように給水経路２２に接続されている。混合用給水経路２６には、上記した給水制御弁２６ａと、給水流量センサ２６ｂと給水サーミスタ２６ｃとが設けられている。給水制御弁２６ａは、混合用給水経路２６を流れる水道水の流量を調整する。給水流量センサ２６ｂと給水サーミスタ２６ｃは、混合用給水経路２６を流れる水道水の流量と温度を検出する。
【００２２】
温水経路２５と混合用給水経路２６とは合流して第１混合経路２７に接続されている。第１混合経路２７には、第１混合経路２７を流れる混合水の温度を検出する混合サーミスタ２７ａを備えている。
【００２３】
タンクユニット２０は、さらに第１給湯経路２９を備えている。第１給湯経路２９には、給湯サーミスタ２９ａが設けられている。第１給湯経路２９の先端には、給湯栓８０が接続されている。給湯栓８０は、浴室、洗面所、台所等に配置されている（図１では、これら複数の給湯栓８０を１つで代表して示している）。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８から第１給湯経路２９へ流れ、バイパス制御弁２８ａを閉じた状態では、第１混合経路２７を流れた混合水が、後記するガス熱源ユニット５０の第２混合経路５２へ流れる。
【００２４】
タンクユニット２０は、コントローラ２０ａを備えている。コントローラ２０ａは、ＣＰＵ、ＲＯＭ、ＲＡＭ等を備えている。コントローラ２０ａには、温水サーミスタ２５ｃ、給水サーミスタ２６ｃ、混合サーミスタ２７ａ、給湯サーミスタ２９ａ、往路サーミスタ３６、上部サーミスタ３９、温水流量センサ２５ｂ、給水流量センサ２６ｂから、検出信号が入力される。また、コントローラ２０ａは、温水制御弁２５ａ、給水制御弁２６ａ、バイパス制御弁２８ａ、排水弁３２、空気抜き弁３７ａの動作を制御する。さらに、コントローラ２０ａには、タンク沸上げ設定温度および給湯設定温度を設定する設定用スイッチ２０ｂが接続されている。
【００２５】
ガス熱源ユニット５０は、給湯器５１を備えている。給湯器５１は、給湯用熱交換器５３と、給湯用バーナ５４と、追い焚き用熱交換器７６と、追い焚き用バーナ７８等を備えている。給湯用熱交換器５３の入口側は第２混合経路５２を介してタンクユニット２０の第１混合経路２７に接続されている。給湯用熱交換器５３には、第２混合経路５２を通じて混合水が流入する。第２混合経路５２には、入水サーミスタ５２ａと、給湯水量センサ５２ｂと、水量サーボ５２ｃとが設けられている。入水サーミスタ５２ａと給湯水量センサ５２ｂは、それぞれ第２混合経路５２を流れる水の温度及び流量を検出する。水量サーボ５２ｃは、第２混合経路５２を流れる水の流量を調整する。給湯用バーナ５４はガス燃焼式であって、給湯用熱交換器５３を加熱する。給湯用熱交換器５３の出口側は第２給湯経路５５を介して第１給湯経路２９に接続されている。給湯用熱交換器５３を流れた温水は、第２給湯経路５５及び第１給湯経路２９を通じて給湯栓８０から給湯される。第２給湯経路５５には、給湯用熱交換器５３の出口近傍に、缶体サーミスタ５６が設けられており、その下流側に出湯サーミスタ５７が設けられている。出湯サーミスタ５７は、給湯用熱交換器５３の近傍に配置されている。
【００２６】
第２混合経路５２における水量サーボ５２ｃの下流側と、第２給湯経路５５の缶体サーミスタ５６と出湯サーミスタ５７の間には、熱源機バイパス経路５８が接続されている。第２混合経路５２と熱源機バイパス経路５８との接続部には、熱源機バイパス制御弁５９が設けられている。熱源機バイパス制御弁５９の開度を調整することによって、第２混合経路５２を流れる水の一部が熱源機バイパス経路５８に流れ、その流量が調整される。
【００２７】
第２給湯経路５５の出湯サーミスタ５７の下流側には、湯はり経路７０の一端が接続されている。湯はり経路７０の他端は、風呂循環経路７１に接続されている。湯はり経路７０には、湯はり弁７０ａと湯はり量センサ７０ｂとが設けられている。風呂循環経路７１は、浴槽７２から湯はり経路７０との合流点まで伸びている第１流路７６ａと、湯はり経路７０との合流点から追い焚き用熱交換器７６を経て浴槽７２にまで伸びている第２流路７６ｂを備えている。風呂循環経路７１は、浴槽７２と追い焚き用熱交換器７６との間で浴槽水を循環させるものである。風呂循環経路７１には、水圧センサ７９と、風呂ポンプ７３と、水流スイッチ７４と、風呂往きサーミスタ７５と、追い焚き用熱交換器７６と、風呂戻りサーミスタ７７とが順に設けられている。
【００２８】
湯はり弁７０ａを開くと、第２給湯経路５５を流れる温水が、破線矢印に示すように、第１流路７６ａと第２流路７６ｂの両者から、浴槽７２に供給される。風呂ポンプ７３は、運転していないと、温水が逆流するのを許容する。
【００２９】
風呂ポンプ７３を駆動すると、浴槽７２内の湯が実線矢印に示すように、風呂循環経路７１を流れ、追い焚き用熱交換器７６を流れる際に、ガス燃焼式の追い焚き用バーナ７８によって加熱される。風呂往きサーミスタ７５は、浴槽７２から風呂循環経路７１に流入した浴槽水の温度を検出するものであり、風呂戻りサーミスタ７７は、追い焚き用熱交換器７６で加熱された後の浴槽水の温度を検出するものである。
【００３０】
ガス熱源ユニット５０は、コントローラ５０ａを備えている。コントローラ５０ａは、ＣＰＵ、ＲＯＭ、ＲＡＭ等を備えている。コントローラ５０ａには、入水サーミスタ５２ａ、缶体サーミスタ５６、出湯サーミスタ５７、風呂往きサーミスタ７５、風呂戻りサーミスタ７７、給湯水量センサ５２ｂ、湯はり量センサ７０ｂ、水流スイッチ７４、水圧センサ７９から、検出信号が入力される。また、コントローラ５０ａは、水量サーボ５２ｃ、熱源機バイパス制御弁５９、湯はり弁７０ａ、風呂ポンプ７３、給湯用バーナ５４、追い焚き用バーナ７８の動作を制御する。
【００３１】
ヒートポンプユニット４０のコントローラ４０ａは、タンクユニット２０のコントローラ２０ａと通信可能である。タンクユニット２０のコントローラ２０ａは、ガス熱源ユニット５０のコントローラ５０ａと通信可能である。ガス熱源ユニット５０のコントローラ５０ａは、リモコン５０ｂと通信可能である。リモコン５０ｂには、給湯システム１０を操作するためのスイッチやボタン、給湯システム１０の動作状態を表示する液晶表示器等が設けられており、リモコン５０ｂで設定された情報がガス熱源ユニット５０に入力される。利用者は、リモコン５０ｂを利用して、給湯設定温度、湯はり設定温度、湯はり設定水位等を設定することができる。
【００３２】
給湯システム１０では、以下に説明するように、タンク沸上げ運転、除霜運転、給湯運転、湯はり運転、追い焚き運転等を行うことができる。
【００３３】
（タンク沸上げ運転）
タンク沸上げ運転では、貯湯槽２１に貯えられた水をヒートポンプユニット４０により加熱する。ヒートポンプユニット４０では、圧縮機４１で圧縮されて昇温した熱媒が、第１熱交換器４３の熱媒流路４３ａを流れる際に循環水流路４３ｂを流れる循環水を加熱する。熱媒流路４３ａから流出した熱媒は、膨張弁４４で膨張して冷却され、第２熱交換器４５を流れる際に外気から吸熱して昇温する。昇温した熱媒が圧縮機４１に流入して再び圧縮されることによってさらに昇温する。さらに、ヒートポンプユニット４０では、循環ポンプ４８ｂを駆動する。
【００３４】
循環ポンプ４８ｂの駆動により、タンクユニット２０では、貯湯槽２１内の水が貯湯槽２１の底部から循環往路３３に吸出される。循環往路３３に吸出された水は、ヒートポンプユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、冷水層の上部に高温層が積層した温度成層が形成される。貯湯槽２１に高温の温水が戻され続けると、高温層の厚さ（深さ）は次第に大きくなり、完全に蓄熱された状態では、貯湯槽２１の全体に高温の温水が貯まった状態になる。貯湯槽２１に完全に蓄熱が行われていなくても、温度成層が形成されることにより、貯湯槽２１の上部に接続されている温水経路２５には、高温の温水が送り出される。タンク沸上げ運転では、出口側サーミスタ４９ａの検出温度がタンク沸上げ設定温度となるように、ヒートポンプユニット４０の各部の動作が制御される。これにより、貯湯槽２１には、タンク沸上げ設定温度まで加熱された温水が貯えられる。通常は、タンク沸上げ設定温度は、リモコン５０ｂで設定された給湯設定温度に応じて特定される。
【００３５】
（除霜運転）
除霜運転では、ヒートポンプユニット４０の第２熱交換器４５を除霜する。破線矢印に示すように、一時的に除霜弁４７ａが開いて圧縮機４１から吐出した高温の熱媒が、除霜経路４７を通じて第２熱交換器４５に流れるようにする。第２熱交換器４５に高温の熱媒が流れることで、第２熱交換器４５が除霜される。
【００３６】
（給湯運転）
温水流量センサ２５ｂの検出流量および給水流量センサ２６ｂの検出流量の合計が所定値を超えると、給湯栓８０または浴槽７２への給湯が開始されたと判断して、給湯システム１０は蓄熱給湯運転または加熱給湯運転を行う。貯湯槽２１の上部サーミスタ３９の検出水温が、リモコン５０ｂで設定されている給湯設定温度よりも一定温度だけ高い基準温度以上である場合には、蓄熱給湯運転が行われる。蓄熱給湯運転では、バイパス制御弁２８ａを開状態とし、水量サーボ５２ｃを全閉状態とする。また、混合サーミスタ２７ａで検出される水温が給湯設定温度となるように、温水制御弁２５ａの開度と給水制御弁２６ａの開度を調整する。給湯設定温度に調整された混合水は、第１混合経路２７を流れた後に、給湯バイパス経路２８及び第１給湯経路２９を通じて給湯栓８０から給湯される。
【００３７】
一方、上部サーミスタ３９の検出水温が基準温度未満である場合には、加熱給湯運転が行われる。加熱給湯運転では、バイパス制御弁２８ａを全閉状態とし、水量サーボ５２ｃを所定開度に設定する。また、混合サーミスタ２７ａで検出される水温が給湯設定温度よりも給湯用熱交換器５３による温度上昇幅だけ低い温度となるように、温水制御弁２５ａの開度と給水制御弁２６ａの開度を調整する。給湯設定温度よりも低い温度に調整された混合水は、第１混合経路２７を流れ、ガス熱源ユニット５０の第２混合経路５２を流れて給湯用熱交換器５３に流入し、給湯用バーナ５４により加熱される。給湯用熱交換器５３では、給湯用熱交換器５３の出口に設けられている缶体サーミスタ５６で検出される水温が６０℃以上となるように制御される。これにより、配管に結露水が発生することを抑制することができる。給湯設定温度が６０℃よりも低い場合には、出湯サーミスタ５７で検出される水温が給湯設定温度となるように、熱源機バイパス制御弁５９の開度が制御される。第２混合経路５２を流れる混合水の一部が熱源機バイパス経路５８を通じて第２給湯経路５５に流入し、給湯用熱交換器５３を流れた６０℃以上の水と給湯用熱交換器５３を流れていない低温の水とが混合されて給湯設定温度の温水となる。このようにして、給湯設定温度に調温された温水が、第２給湯経路５５と第１給湯経路２９を通じて給湯栓８０から給湯される。これにより、蓄熱給湯運転中に貯湯槽２１に貯湯しておいた温水を消費しつくした場合にも、給湯設定温度に調温された温水を給湯し続けることができる。
【００３８】
（湯はり運転）
浴槽７２に湯はり運転する場合は、給湯設定温度を湯はり設定温度に読み代えて、上記の加熱給湯運転を実施する。リモコン５０ｂに浴槽７２の湯はり要求が入力されると、湯はり弁７０ａを開いて浴槽７２に給湯する。第２給湯経路５５から湯はり経路７０を流れた湯は、破線矢印に示すように、第１流路７６ａと第２流路７６ｂを通じて浴槽７２に給湯される。リモコン５０ｂで設定されている湯はり設定温度に応じた湯が浴槽７２に給湯される。
【００３９】
（追い焚き運転）
浴槽７２に貯められている浴槽水の温度が低下すれば、風呂ポンプ７３を運転し、追い焚き用バーナ７８を点火する。この追い焚き運転によって、浴槽７２の浴槽水が追い焚きされて、湯はり設定温度に復帰する。
【００４０】
（リモコンでの設定内容を取得できない場合の動作）
給湯システム１０を、リモコン５０ｂでの設定内容を取得できない状態で動作させたい場合がある。例えば、ガス熱源ユニット５０の設置が完了しておらず、従ってコントローラ５０ａやリモコン５０ｂに電力が供給されていない場合でも、ヒートポンプ４０とタンクユニット２０を用いてタンク沸上げ運転や給湯運転を行いたい場合がある。ガス熱源ユニット５０のコントローラ５０ａやリモコン５０ｂが故障した場合、あるいは、コントローラ５０ａとリモコン５０ｂの間の信号線やコントローラ５０ａとコントローラ２０ａの間の信号線が断線した場合についても同様である。本実施例の給湯システム１０では、このような場合に備えて、コントローラ２０ａに設定用スイッチ２０ｂが接続されている。設定用スイッチ２０ｂに予めタンク沸上げ設定温度と給湯設定温度を設定しておくことで、リモコン５０ｂでの設定内容を取得できない場合でも、タンク沸上げ運転や給湯運転を適切に実施することができる。
【００４１】
本実施例の給湯システム１０では、コントローラ２０ａは、タンク沸上げ運転の実施時に、リモコン５０ｂから給湯設定温度を取得可能か否かを判断する。リモコン５０ｂから給湯設定温度が取得可能な場合には、リモコン５０ｂから取得された給湯設定温度に応じてタンク沸上げ設定温度を特定し、そのタンク沸上げ設定温度に基づいてタンク沸上げ運転を実施する。なお、リモコン５０ｂで設定された給湯設定温度に応じて、タンク沸上げ設定温度を特定する手法としては、例えばコントローラ２０ｂに予め対応表を記憶しておき、その対応表を用いて給湯設定温度からタンク沸上げ設定温度を特定するように構成してもよい。この場合、１つの対応表のみがコントローラ２０ｂに記憶されており、リモコン５０ｂで設定された給湯設定温度に応じてタンク沸上げ設定温度が一意に特定されるように構成してもよいし、複数の対応表がコントローラ２０ｂに記憶されており、どの対応表を用いてタンク沸上げ設定温度を特定するかをリモコン５０ｂから選択できるように構成してもよい。リモコン５０ｂから給湯設定温度が取得できない場合には、設定用スイッチ２０ｂで設定されたタンク沸上げ設定温度に基づいてタンク沸上げ運転を実施する。
【００４２】
同様に、本実施例の給湯システム１０では、コントローラ２０ａは、給湯運転の実施時に、リモコン５０ｂから給湯設定温度を取得可能か否かを判断する。リモコン５０ｂから給湯設定温度を取得可能な場合には、リモコン５０ｂから取得された給湯設定温度に基づいて給湯運転を実施する。リモコン５０ｂから給湯設定温度が取得できない場合には、設定用スイッチ２０ｂで設定された給湯設定温度に基づいて給湯運転を実施する。なお、この場合に実施される給湯運転は、蓄熱給湯運転である。
【００４３】
図２は設定用スイッチ２０ｂによるタンク沸上げ設定温度および給湯設定温度の設定手法の例を示している。図２に示す例では、設定用スイッチ２０ｂは、４つのスイッチＳＷ１，ＳＷ２，ＳＷ３およびＳＷ４を備えており、スイッチＳＷ１，ＳＷ２，ＳＷ３およびＳＷ４のＯＮ／ＯＦＦの組み合わせに応じて、タンク沸上げ設定温度と給湯設定温度をそれぞれ設定することができる。なお、設定用スイッチ２０ｂは、タンク沸上げ設定温度と給湯設定温度を設定することが可能なものであれば、どのような形態のものであってもよい。
【００４４】
上記の実施例では、給湯栓８０への給湯および浴槽７２の湯はりおよび追い焚きを行う給湯システム１０について説明したが、本発明は、さらに暖房も行う給湯暖房システムに適用することも可能である。
【００４５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４６】
１０  給湯システム；２０  タンクユニット；２０ａ  コントローラ；２０ｂ  設定用スイッチ；２１  貯湯槽；２２  給水経路；２２ａ  水道水入口；２３  減圧弁；２４  混合器；２５  温水経路；２５ａ  温水制御弁；２５ｂ  温水流量センサ；２５ｃ  温水サーミスタ；２６  混合用給水経路；２６ａ  給水制御弁；２６ｂ  給水流量センサ；２６ｃ  給水サーミスタ；２７  第１混合経路；２７ａ  混合サーミスタ；２８  給湯バイパス経路；２８ａ  バイパス制御弁；２９  第１給湯経路；２９ａ  給湯サーミスタ；３１  排水経路；３２  排水弁；３３  循環往路；３４  循環復路；３６  往路サーミスタ；３７  空気抜き経路；３７ａ  空気抜き弁；３８  圧力開放経路；３８ａ  リリーフ弁；３９  上部サーミスタ；４０  ヒートポンプユニット；４０ａ  コントローラ；４１  圧縮機；４２  四方弁；４３  第１熱交換器；４３ａ  熱媒流路；４３ｂ  循環水流路；４４  膨張弁；４５  第２熱交換器；４５ａ  ファン；４６  熱媒配管；４７  除霜経路；４７ａ  除霜弁；４８  循環往路接続経路；４８ａ  入口側サーミスタ；４８ｂ  循環ポンプ；４９  循環復路接続経路；４９ａ  出口側サーミスタ；５０  ガス熱源ユニット；５０ａ  コントローラ；５０ｂ  リモコン；５１  給湯器；５２  第２混合経路；５２ａ  入水サーミスタ；５２ｂ  給湯水量センサ；５２ｃ  水量サーボ；５３  給湯用熱交換器；５４  給湯用バーナ；５５  第２給湯経路；５６  缶体サーミスタ；５７  出湯サーミスタ；５８  熱源機バイパス経路；５９  熱源機バイパス制御弁；７０  湯はり経路；７０ａ  湯はり弁；７０ｂ  湯はり量センサ；７１  風呂循環経路；７２  浴槽；７３  風呂ポンプ；７４  水流スイッチ；７５  風呂往きサーミスタ；７６  追い焚き用熱交換器；７６ａ  第１流路；７６ｂ  第２流路；７７  風呂戻りサーミスタ；７８  追い焚き用バーナ；７９  水圧センサ；８０  給湯栓
【図１】
0005470422.tif 000002
【図２】
0005470422.tif 000003